(57)【特許請求の範囲】
【請求項１】
複数配列可能な端子台筺体と、端子台筺体の上面中央部に着脱可能に狭持され、可とう性を有する記号板とを備えており、前記端子台筺体の電線接続方向中央部に、前記記号板を支持する面を有する台座と、台座の上面より一段下がった面から、前記台座を挟んだ両側に前記記号板が挿入可能な間隔で対向立設された係止部と、両係止部の内側が逆Ｌ字型形状、かつ、逆Ｌ字型形状の下面の一端に下向きの両刃形状突部とを各々に有すると共に、両刃形状突部の先端と前記台座の上面との間隔が前記記号板の厚みよりも狭く配置された端子台において、前記記号板の幅方向両端の上下面が前記両刃形状突部と前記台座間に各々狭持され、前記記号板の長手方向への離脱防止を可能にすると共に、前記端子台筺体から前記記号板を可とう性を利用して幅方向の片側端からの着脱を可能にすることを特徴とする端子台の記号板取付機構。
【発明の詳細な説明】
【技術分野】
【０００１】
本発明は、制御盤や配電盤等に使用される端子台の記号板取付機構に関するものである。  
【背景技術】
【０００２】
従来より、各種の端子台が提案されており（例えば実用新案文献１参照）、それら従来例の一つとして端子台の筐体には、端子の記号名等を確認できるように板等に記号名を記載し、図８に示すような記号板として端子台筐体に取り付け使用されている。
【０００３】
記号板の端子台筐体への固定方法は、端子台筐体の上面に挿通溝を貫通形成し、記号板を端子台の長手方向に挿通することで、上下方向及び横幅方向に保持し、端子台筐体からの離脱を防止している。
【０００４】
【特許文献１】公開実用新案昭５３−５２３８３号公報
【発明の開示】
【発明が解決しようとする課題】
【０００５】
しかしながら、記号板は、端子台筐体上面の挿通溝に対して端子台の長手方向に移動可能なことから、そのままの状態では端子台筐体の傾き、振動、衝撃等により端子台筐体から離脱してしまうため、端子台筐体の少なくとも一方の端に離脱防止の目的で端子台筐体と形状の異なるストッパー用筐体を別に設ける必要があった。また、逆に記号板を端子台筐体から取り外す場合には、上記に提案されているような（例えば実用新案文献１参照）方法を用いるか、あるいはストッパー用筐体を取り外した後端子台筐体から引き抜く必要があった。
【０００６】
本発明は前述した問題点に鑑みてなされたものであり、解決しようとする課題は、記号板を容易に着脱可能とし、かつ振動、衝撃等で離脱せず、そしてストッパー用筐体を不要とする端子台を提供するものである。
【課題を解決するための手段】
【０００７】
上記の目的を達成するために、本発明は、複数配列可能な端子台筺体と、端子台筺体の上面中央部に着脱可能に狭持され、可とう性を有する記号板とを備えており、前記端子台筺体の電線接続方向中央部に、前記記号板を支持する面を有する台座と、台座の上面より一段下がった面から、前記台座を挟んだ両側に前記記号板が挿入可能な間隔で対向立設された係止部と、両係止部の内側が逆Ｌ字型形状、かつ、逆Ｌ字型形状の下面の一端に下向きの両刃形状突部とを各々に有すると共に、両刃形状突部の先端と前記台座の上面との間隔が前記記号板の厚みよりも狭く配置された端子台において、前記記号板の幅方向両端の上下面が前記両刃形状突部と前記台座間に各々狭持され、前記記号板の長手方向への離脱防止を可能にすると共に、前記端子台筺体から前記記号板を可とう性を利用して幅方向の片側端からの着脱を可能にすることを特徴とする。
【発明の効果】
【０００８】
本発明によれば、係止部を備えた端子台において、記号板の幅方向両端の上下面が両刃形状突部と台座間に各々狭持され、記号板の長手方向へ離脱防止を可能にすることで、従来必要としたストッパー用筐体が不要となり、かつ、記号板の可とう性を利用して、端子台筺体から幅方向の片側端での着脱を可能にすることができる。
【発明を実施するための最良の形態】
【０００９】
以下に、図面を参照しながら、本発明の一実施形態について説明する。ただし、以下の説明は、あくまでも本発明の例示にすぎず、以下の記載によって発明の技術的範囲が限定されるものではない。
【００１０】
図１は、本発明の記号板取付機構を示す分解斜視図である。図２は、端子台筺体２を長手方向から見た正面図である。図３は、図２の要部（Ａ部）拡大図である。図４は、要部拡大斜視図である。図５は、本発明と従来例との取付状態比較図である。図６は、本発明の実施例を示す斜視図である。図７は、本発明の省スペース化を示した図である。図８は、従来例を示す斜視図である。
【００１１】
本発明の記号板取付機構は、図１、図６に示すように２つの対向した端子台筺体２、２と、その間に両者を中継する中間筺体３と、中間筺体３の上部に載置され、両側から端子台筺体２、２によって挟み込み固定された導電部材の端子板４と、かとう性を有する記号板５を主要部材として構成されている。端子板４には、電線が圧着された圧着端子（図示せず）を固定するための端子ねじ８や、端子ボルト９がそれぞれ止められている。そして、中間筺体３を挟み端子台筺体２、２の両底部には締め付けねじ６が、孔２８、２８、及び孔３１、３１に各々挿通され、ナット７で締め付けられ固定されている。
【００１２】
端子台筺体２は、上部に隔壁２６と、隔壁２６の下部に台座部２１と、隔壁２６の幅方向中央に端子台１を制御盤等へ固定するためのU字縦溝２２を有しており、U字縦溝２２の上端面２７には、U字の底に当たる近傍に、記号板５を支えるための台座２３が一段高い位置に配設されている。台座２３を挟んだ両側には、記号板５を上方向から挿入可能な間隔を有して、記号板５を挟持するための係止部２４、２４が対向立設されている。係止部２４、２４は、内側が逆Ｌ字型形状で、その下面の一端に下向き状態、かつ、幅方向に両刃形状突部２５、２５が各々設けられている。ここで重要な点は、記号板５の厚みに対し、両刃形状突部２５と台座２３との間隔が僅かに狭く設定されていることである。
【００１３】
次に、端子台１に記号板５が挟持される機構を、図３、図４、図５により詳しく述べる。記号板５の幅は係止部２４、２４の上端部内側の幅に対しては広く、係止部２４、２４の下部内側の幅に対しては僅かに狭く設定されている。これにより、記号板５は係止部２４、２４の間に収まる寸法関係にある。記号板５を端子台１に取付けるには、図３Ｂに示すように記号板５を傾けて一方の端を係止部２４の両刃形状突部２５と台座２３との隙間に挟み込み、もう一方の端を記号板５のかとう性を利用して上面から力を加えてたわませ、係止部２４の両刃形状突部２５と台座２３との間に軽く圧入することで挟持される。逆に、記号板５を端子台１から取り外すには、どちらか一方の係止部２４付近の記号板５を厚み方向に指でつまみ、取り付け時と反対方向に力を加えることで容易に取り外すことができる。結果として、工数削減を図ることができる。また、記号板５は前記のように係止部２４の両刃形状突部２５と台座２３との間に挟持されることにより、記号板５の長手方向への離脱防止が可能となる。これにより、図７に示すように従来必要としたストッパー用筐体が不要となりコストダウン及び省スペース化が図れる。
尚、上記では、中間筺体３を使用した例で説明したが、中間筺体３を使用せず（その場合、端子板４は別形状となる）、端子台筺体２、２のみでも前記機構は有効であり、これも本発明の技術的範囲に含まれることは言うまでもない。
【図面の簡単な説明】
【００１４】
【図１】本発明の記号板取付機構を示す分解斜視図である。
【図２】端子台筺体２を長手方向から見た正面図である。
【図３】図２の要部（Ａ部）拡大図である。
【図４】要部拡大斜視図である。
【図５】本発明と従来例との取付状態比較図である。
【図６】本発明の実施例を示す斜視図である。
【図７】本発明の省スペース化を示した図である。
【図８】従来例を示す斜視図である。
【符号の説明】
【００１５】
１        端子台  
２        端子台筺体    
３        中間筺体
４        端子板
５        記号板
６        締め付けねじ
７        ナット
８        端子ねじ
９        端子ボルト
２１        台座部
２２        U字縦溝
２３        台座
２４  ２４  係止部
２５        両刃形状突部
２６        隔壁
２７        上端面
２８  ２８  孔
３１  ３１  孔
５０        端子台
５１        端子台筺体Ａ
５２        端子台筺体Ｂ
５３        ストッパー用筐体
５４        端子板
５５        記号板
５６        端子ねじ
５７        記号名
【図１】
0005112177.tif 000002
【図２】
0005112177.tif 000003
【図３】
0005112177.tif 000004
【図４】
0005112177.tif 000005
【図５】
0005112177.tif 000006
【図６】
0005112177.tif 000007
【図７】
0005112177.tif 000008
【図８】
0005112177.tif 000009